(57)【要約】      （修正有）【課題】取り付けを速くし、効率を向上させ、傾斜事故の発生を低減させ、ブリッジフォームの正常な使用を保証する円形カラムブリッジフォームの取り付け装置を提供する。【解決手段】円形カラムブリッジフォームの取り付け装置は、側面には、端部にピン３を介して、その側面に凹溝が開設された円筒状連結ロッドが回転可能に連結される円弧状固定リング２と、内部には、側面に固定カラーが螺着される対向ネジ棒が回動可能に連結される取付ブロックと、が当接される円形カラム１を含み、かつ、固定カラーは一つのネジ管と貫通管が十字方式により溶接され、固定カラーの貫通管は円筒状連結ロッドの外側に外装され、取付ブロックの頂部にネジ孔９が開設され、取付ブロックの頂部にネジ２０によりブリッジフォーム１０が固定接続される。ブリッジフォームを取り付け可能な取付ブロックを円形カラムに固定することができる。【選択図】図１
0003234322.tif 000002
【実用新案登録請求の範囲】
【請求項１】
円形カラムブリッジフォームの取り付け装置において、
側面には、端部にピン（３）を介して、その側面に凹溝（５）が開設された円筒状連結ロッド（４）が回転可能に連結される円弧状固定リング（２）と、内部には、側面に固定カラー（８）が螺着される対向ネジ棒（７）が回動可能に連結される取付ブロック（６）と、が当接される円形カラム（１）を含み、固定カラー（８）は一つのネジ管と貫通管が十字方式により溶接され、前記固定カラー（８）の貫通管は円筒状連結ロッド（４）の外側に外装され、前記取付ブロック（６）の頂部にネジ孔（９）が開口され、前記取付ブロック（６）の頂部にネジ（２０）によりブリッジフォーム（１０）が固定接続されることを特徴とする円形カラムブリッジフォームの取り付け装置。
【請求項２】
取付ブロック（６）の側面には貫通孔（１１）が開設され、貫通孔（１１）の内部にストッパ孔（１２）が設けられることを特徴とする請求項１に記載の円形カラムブリッジフォームの取り付け装置。
【請求項３】
対向ネジ棒（７）の側面にはストッパリング（１３）が固定接続され、ストッパリング（１３）がストッパ孔（１２）内に位置し、且つ回転係合し、対向ネジ棒（７）の一端にはストッパブロック（１４）が固定接続され、対向ネジ棒（７）の他端にはハンドル（１５）が固定接続され、ハンドル（１５）の側面には付勢孔（１６）が開設されていることを特徴とする請求項１又は２に記載の円形カラムブリッジフォームの取り付け装置。
【請求項４】
前記円弧状固定リング（２）の内壁にはゴムパッド（１７）が固定接続され、前記取付ブロック（６）の底部は円弧状を呈し、前記取付ブロック（６）の底部にはゴムパッド（１７）が固定接続されることを特徴とする請求項１に記載の円形カラムブリッジフォームの取り付け装置。
【請求項５】
前記固定カラー（８）の貫通管の径は円筒状連結ロッド（４）の径よりも大きく、前記固定カラー（８）の貫通管の長さは凹溝（５）の開設長さよりも小さいことを特徴とする請求項１に記載の円形カラムブリッジフォームの取り付け装置。
【請求項６】
二方向の前記ネジ孔（９）は二方向ネジ孔であり、その両端に分布しているネジピッチは同じであるが、ネジの回転方向は逆であることを特徴とする請求項１に記載の円形カラムブリッジフォームの取り付け装置。
【請求項７】
前記円弧状固定リング（２）の外側面には複数のフック（１８）が固定接続され、前記フック（１８）の底部にはウエイト（１９）が固定接続されることを特徴とする請求項１に記載の円形カラムブリッジフォームの取り付け装置。
【考案の詳細な説明】
【技術分野】
【０００１】
本考案は、ブリッジフォーム取り付けの技術分野に関し、具体的には円形カラムブリッジフォームの取り付け装置に関する。
【背景技術】
【０００２】
ケーブルブリッジフォームは凹溝式、トレイ式、ラック式及びネットワークフォーマット等の構造に分けられ、ブラケット、アーム及び取り付け金具等で構成される。独立して架設することもできるし、各種の建築物（構造物）及び管路ブラケットに敷設することもでき、構造が簡単で、スタイルが美観に富み、配置は柔軟性があり、メンテナンスが便利である等の特徴を有する。全ての部品は亜鉛めっき処理を行う必要があり、建物外の露出したブリッジフォームに取り付けられる。海辺の近辺又は腐食性領域に属している場合に、その材質は、防腐性、耐湿性、密着性が高く、耐衝撃性が高いという物理的特徴を有さなくてはならない。
【考案の概要】
【考案が解決しようとする課題】
【０００３】
ブリッジフォームの円形カラムは、取付け利用時に、複数のネジを固定する必要があり、作業効率が遅くなり、且つ異なる方向に締め付けなければならないため、作業の難易度を増加させる一方、ブリッジフォームの一端の荷重が大きすぎることにより、円形カラムが横転する可能性があり、それにより全体が崩れ、作業者に非常に大きなトラブルをもたらす。
これに基づいて、本考案は上記の問題を解決するために、円形カラムブリッジフォームの取り付け装置を設計した。
上述した目的を実現するために、本考案は以下の技術案を提供する。
【課題を解決するための手段】
【０００４】
円形カラムブリッジフォームの取り付け装置において、
側面には、端部にピンを介して、その側面に凹溝が開設された円筒状連結ロッドが回転可能に連結された円弧状固定リングと、内部には、側面に固定カラーが螺着される対向ネジ棒が回動可能に連結される取付ブロックと、が当接される円形カラムを含み、固定カラーは一つのネジ管と貫通管が十字方式により溶接され、前記固定カラーの貫通管は円筒状連結ロッドの外側に外装され、前記取付ブロックの頂部にネジ孔が開口され、前記取付ブロックの頂部にネジによりブリッジフォームが固定接続されることを特徴とする円形カラムブリッジフォームの取り付け装置。
【０００５】
好ましくは、前記取付ブロックの側面には貫通孔が開設され、前記貫通孔の内部にストッパ孔が設けられる。
【０００６】
好ましくは、前記対向ネジ棒の側面にはストッパリングが固定接続され、前記ストッパリングはストッパ孔内に位置し、且つ回転係合し、前記対向ネジ棒の一端にはストッパブロックが固定接続され、前記対向ネジ棒の他端にはハンドルが固定接続され、前記ハンドルの側面には付勢孔が開設されている。
【０００７】
好ましくは、前記円弧状固定リングの内壁にはゴムパッドが固定接続され、前記取付ブロックの底部は円弧状を呈し、前記取付ブロックの底部にはゴムパッドが固定接続される。
【０００８】
好ましくは、前記固定カラーの貫通管の径は円筒状連結ロッドの径よりも大きく、前記固定カラーの貫通管の長さは凹溝の開設長さよりも小さい。
【０００９】
好ましくは、前記二方向ネジ孔の両端に分布しているネジピッチは同じであるが、ネジの回転方向は逆である。
【００１０】
好ましくは、前記円弧状固定リングの外側面には複数のフックが固定接続され、前記フックの底部にはウエイトが固定接続される。
【００１１】
従来技術に比べ、本考案の有益な効果は以下の通りである。
１.本考案は、円弧状固定リング及び取付ブロックを介して迅速に取り付け、ハンドルを介してある方向に回転させることにより、固定カラーを互いに接近させ、取り付けプロセス中に固定カラーを対向ネジ棒に沿って互いに接近させ、互いに接近する過程で円弧状固定リング及び取付ブロックの内径を減少させることが必要であり、これにより、ブリッジフォームを取り付ける取付ブロックを円形カラムに固定することができ、取り付けの迅速さを実現でき、作業者の作業時間を短縮させ、作業効率を向上させる。
２.本考案は、ブリッジフォームの一端の荷重が大きすぎて円形カラムが傾斜し、安全事故を引き起こすことを防止するために、円弧状固定リングの片側にウエイトを取り付け、傾斜事故の発生を低減させ、ブリッジフォームの正常使用を保証する。
【図面の簡単な説明】
【００１２】
本考案の実施例の技術案をより明確に説明するために、以下は実施例の記載に必要な図面を簡単に説明する。明らかに、以下の記載における図面は本考案の実施例の一部であり、当業者にとって、これらの添付図面に基づいてその他の図面を得ることができる。
【００１３】
【図１】本考案の正面視構造の概略図である。
【図２】本考案の側面視構造の概略図である。
【図３】本考案の平面視構造の概略図である。
【図４】本考案の取付ブロックの正面視構造の概略図である。
【図５】本考案の取付ブロックの半断面視構造の概略図である。
【図６】本考案の円弧状固定リングの正面視構造の概略図である。
【図７】本考案の対向ネジ棒の正面視構造の概略図である。
【考案を実施するための形態】
【００１４】
以下、本考案の実施例における図面を参照し、本考案の実施例における技術案を明瞭かつ完全に記載する。明らかに、記載された実施例は本考案の一部の実施例であり、全ての実施例ではない。本考案の実施例に基づき、当業者が創造的な労働をしない前提で得られた全てのその他の実施例は、本考案の保護範囲に属する。
【００１５】
図１〜７を参照されたい。本考案は次の技術案を提供する。
円形カラムブリッジフォームの取り付け装置は、側面には、端部にピン３を介して、その側面に凹溝５が開設された円筒状連結ロッド４が回転可能に連結される円弧状固定リング２と、内部には、側面に固定カラー８が螺着される対向ネジ棒７が回動可能に連結される取付ブロック６と、が当接される円形カラム１を含み、かつ固定カラー８は一つのネジ管と貫通管が十字方式により溶接され、固定カラー８の貫通管は円筒状連結ロッド４の外側に外装され、取付ブロック６の頂部にネジ孔９が開口され、取付ブロック６の頂部にネジ２０によりブリッジフォーム１０が固定接続される。
【００１６】
取付ブロック６の側面には貫通孔１１が開設され、貫通孔１１の内部にストッパ孔１２が設けられる。対向ネジ棒７の側面にはストッパリング１３が固定接続され、ストッパリング１３がストッパ孔１２内に位置し、且つ回転係合し、対向ネジ棒７の一端にはストッパブロック１４が固定接続され、対向ネジ棒７の他端にはハンドル１５が固定接続され、ハンドル１５の側面には付勢孔１６が設けられている。ここで、対向ネジ棒７の端部に固定されたストッパブロック１４は固定カラー８が二方向ネジ棒から離脱することを防止し、二方向ネジ棒の端部に接続されたハンドル１５は、固定カラー８同士間の距離を迅速に調節することができ、固定カラー８同士間の距離を短縮し続ける必要がある場合、引き棒を外付け、引き棒をハンドル１５の付勢孔１６内に挿入し、てこ作用によりハンドル１５を調節して回動させ、固定カラー８同士間の距離を減少させる。
【００１７】
円弧状固定リング２の内壁にはゴムパッド１７が固定接続され、取付ブロック６の底部は円弧状を呈し、取付ブロック６の底部にはゴムパッド１７が固定接続される。ここで、ゴムパッド１７の作用は、円弧状固定リング２及び取付ブロック６と、円形カラム１との間の摩擦力を大きくし、取付ブロック６と円弧状固定リング２を円形カラム１により強固に固定することである。
【００１８】
固定カラー８の貫通管の径は円筒状連結ロッド４の径よりも大きく、固定カラー８の貫通管の長さは凹溝５の開設長さよりも小さい。ここで、固定カラー８の貫通管の径は円筒状連結ロッド４の径よりも大きく、作業者は固定カラー８の貫通管を円筒状連結ロッド４に挿入することができ、それにより取付ブロック６と円弧状固定リング２を速やかに接続することができる。
【００１９】
二方向ネジ孔９の両端に分布しているネジピッチは同じであるが、ネジの回転方向は逆である。円弧状固定リング２の外側面には複数のフック１８が固定接続され、フック１８の底部にはウエイト１９が固定接続される。ここで、ブリッジフォーム１０の一端の荷重が大きすぎて円形カラム１が傾斜し、安全事故を引き起こすことを防止するために、円弧状固定リング２の片側にウエイト１９を取り付け、傾斜事故を低減させる。
【００２０】
本実施例の具体的な応用の一つとして、円弧状固定リング２を円形カラム１に密着させ、円弧状固定リング２とそれに回動可能に接続された円筒状連結ロッド４を固定カラー８内に挿入し、固定カラー８の貫通管は凹溝５内に位置し、凹溝５はストッパ作用を果たしている。調節用ハンドル１５を回転させ、調節用ハンドル１５の回動により対向ネジ棒７を連帯回転させ、二方向ネジ孔９の両端部に分布しているネジピッチが同じであるが、ネジの回転方向は逆であり、かつ、対向ネジ棒７の中央部をストッパリング１３を介して取付ブロック６内に規制する。ハンドル１５はある方向に回転することにより、固定カラー８が互いに接近し又は互いに離間し、取り付けられる中に固定カラー８が対向ネジ棒７に沿って互いに接近し、互いに接近する過程で円弧状固定リング２と取付ブロック６の内径を減少させることが必要であり、これにより、ブリッジフォーム１０を取り付けられる取付ブロック６を円形カラム１に固定することができる。取付ブロック６の取り付け度合いをさらにきつくしたい場合、固定カラー８同士間の距離を短縮し続ける必要がある場合、引き棒を外付け、引き棒をハンドル１５の付勢孔１６内に挿入し、てこ作用によりハンドル１５を調節して回動させ、固定カラー８同士間の距離を減少させる。取付ブロック６の固定をより強固にし、取付ブロック６を取り付けた後にブリッジフォーム１０をネジ２０を介して取付ブロック６に固定させる。本装置は、ブリッジフォーム１０の一端の荷重が大きすぎて円形カラム１が傾斜し、安全事故を引き起こすことを防止するために、円弧状固定リング２の片側にウエイト１９を取り付け、傾斜事故を低減させる。
【００２１】
本明細書の記載において、用語「一実施例」、「例示」、「具体例」等の記載とは、該実施例又は例示的記載の具体的な特徴、構造、材料又は特徴を組み合わせて本考案の少なくとも一つの実施例又は例示に含める。本明細書において、上記の技術用語の概略的記述は、必ずしも同一の実施例又は例示を指すとは限らない。それに、記載される具体的な特徴、構造、材料又は特徴は、任意の一又は複数の実施例又は例示において適切な形態で組み合わせることができる。
【００２２】
以上に開示された本考案の好ましい実施例は、本考案の説明をサポートするためのものである。好ましい実施例は全ての詳細を詳しく説明しておらず、本考案を限定するものではない。明らかに、本明細書の内容に基づき、多くの修正及び変更を行うことができる。本説明書がこれらの実施例を選択し且つ具体的に説明するのは、本考案の原理及び実際の応用をより良く解釈し、それにより当業者は本考案をよく理解し且つ利用することができる。本考案は、実用新案登録請求の範囲及びその均等の範囲のみに限定されるものである。
【符号の説明】
【００２３】
１  円形カラム
２  円弧状固定リング
３  ピン
４  円筒状連結ロッド
５  凹溝
６  取付ブロック
７  対向ネジ棒
８  固定カラー
９  ネジ孔
１０  ブリッジフォーム
１１  貫通孔
１２  ストッパ孔
１３  ストッパリング
１４  ストッパブロック
１５  ハンドル
１６  付勢孔
１７  ゴムパッド
１８  フック
１９  ウエイト
２０  ネジ
【図１】
0003234322.tif 000003
【図２】
0003234322.tif 000004
【図３】
0003234322.tif 000005
【図４】
0003234322.tif 000006
【図５】
0003234322.tif 000007
【図６】
0003234322.tif 000008
【図７】
0003234322.tif 000009